(57)【要約】      （修正有）【課題】素早くかつ容易に釣竿を保持させることが可能な釣竿保持具を提供する。【解決手段】釣竿保持具１００は、釣竿２００を保持する保持部１０と、保持部１０を支持する支持部２０と、を有し、保持部１０は、前端側及び後端側それぞれに配置された前方受け部１２及び後方受け部１４を備え、前方受け部１２及び後方受け部１４は、上向きに開口する開口部を有する凹部を備え、開口部を通じて、凹部に対し釣竿２００を出し入れ可能である。【選択図】図２
0003209358.tif 000002
【実用新案登録請求の範囲】
【請求項１】
身体に装着可能な釣竿保持具であって、
釣竿を保持する保持部と、
前記保持部を支持する支持部と、を有し、
前記保持部は、前端側及び後端側それぞれに配置された前方受け部及び後方受け部を備え、
前記前方受け部及び前記後方受け部は、上向きに開口する開口部を有する凹部を備え、前記開口部を通じて、前記凹部に対し釣竿を出し入れ可能であることを特徴とする釣竿保持具。
【請求項２】
前記保持部が、前記前方受け部と前記後方受け部とを連結する連結部を有する請求項１に記載の釣竿保持具。
【請求項３】
前記支持部が、前後方向に貫通する貫通孔を有し、
前記連結部が、前記貫通孔に沿って前後方向にスライド可能に前記貫通孔に挿通されている請求項２に記載の釣竿保持具。
【請求項４】
前記連結部は、前記前方受け部及び前記後方受け部を結ぶ仮想直線に対し相対的に上方に弓なりに湾曲している請求項２又は３のいずれか一項に記載の釣竿保持具。
【請求項５】
側面視において、前記連結部の少なくとも一方側の端部よりも、前記連結部の両端部間に位置する中間部領域が、前記前方受け部及び前記後方受け部が設けられた側に向かって湾曲している請求項２から４のいずれか一項に記載の釣竿保持具。
【請求項６】
前記開口部の開口径が、釣竿の直径以上である請求項１から５のいずれか一項に記載の釣竿保持具。
【請求項７】
前記前方受け部と前記後方受け部との距離は、前記釣竿に設置されたリールの直径よりも大きい請求項１から６のいずれか一項に記載の釣竿保持具。
【請求項８】
前記支持部は、上下方向に長さを調整可能な長さ調整手段を有している請求項１から７のいずれか一項に記載の釣竿保持具。
【請求項９】
前記支持部は、布部材で構成されている請求項１から８のいずれか一項に記載の釣竿保持具。
【請求項１０】
前記支持部は、前記釣竿保持具を身体に装着するために装着部を備える請求項１から９のいずれか一項に記載の釣竿保持具。
【請求項１１】
前記凹部は、前記開口部から下方に向かってテーパー状に構成されている請求項１から１０のいずれか一項に記載の釣竿保持具。
【考案の詳細な説明】
【技術分野】
【０００１】
本考案は、釣竿保持具に関し、詳しくは、釣竿を素早くかつ容易に保持することができる釣竿保持具に関する。
【背景技術】
【０００２】
釣りをする者（以下、釣り人という）は、釣りをしている最中、釣竿から両手を離して作業を行いたい場合がある。この場合、釣竿を股に挟み、又は地面に置く等して、両手を空けることは可能である。しかし、釣竿を股に挟んだ状態では作業がし難く、地面に置いた場合には釣竿が傷つき、また海や川に落下する虞等があった。そこで身体に装着可能な釣竿保持具の発明が提案されている。
【０００３】
たとえば、下記特許文献１には、釣竿のグリップ部を受けるグリップフック、竿尻側を引っ掛ける竿尻フック、腰ベルトに差し込む差込パット部、及び腰ベルトに引っ掛けるベルトフック部により構成されたスポーツフィッシング用のロッドホルダー（以下、従来技術１ともいう）が開示されている。差込パット部及びベルトフック部にて釣り人の身体に装着された従来技術１に対し、釣竿の竿尻を前方から後方に移動させて竿尻フックに差し込むとともにグリップ部をグリップフックに設置することで、釣竿を保持することができる。
【０００４】
また下記特許文献２には、釣り竿を保持し得る強度を有する支持板に腰ベルトを配置させ、支持板の下方側に、釣竿の後端部（竿尻）を保持する受け止め部を形成するとともに、支持板の上方側に、釣竿の後端部（竿尻）より上方側を保持する竿掛部を形成したことを特徴とする釣竿保持ベルト（以下、従来技術２ともいう）が開示されている。かかる従来技術２によれば、上方から下方に向かって竿尻を移動させ、竿掛部と受け止め部に竿尻を挿入することで、釣竿を保持することができる。
【先行技術文献】
【特許文献】
【０００５】
【特許文献１】特開２００６−４２７８４号公報
【特許文献２】特開２００４−１８７５３７号公報
【考案の概要】
【考案が解決しようとする課題】
【０００６】
ところで、釣り人が釣竿を手離して両手で作業をしたいタイミングは、様々である。たとえば、日中に行う釣りにおいて、エサやルアー等を付け替える作業を行う場合は、比較的時間に余裕があり視覚も充分である。そのため、上述する従来技術１、２のように釣竿を保持させるために所定の箇所に釣竿の一部を挿入する動作を要する釣竿保持具でも、釣り人は、容易に釣竿を保持させて上記作業を行うことが可能である。
【０００７】
しかしながら、たとえば魚がかかり素早く網ですくい上げるために早急に両手を空けたい場合、上記竿尻フックに竿尻を挿入して引っ掛ける動作、又は上記竿掛部と受け止め部に竿尻を挿入する動作は煩雑であり、素早く釣竿を保持させることが困難であった。特に、海釣りなどで柄に伸縮手段の備わった網を使って魚を掬う場合には、一方の手で柄を握り、他方の手で柄を縮める作業を行う必要があるため、素早くかつ容易に釣竿を保持させたいという要望があり、これに対して、従来技術１、２では不適であった。
また夜間の釣りにおいて周囲に明かりがない場合は、上記竿尻フック、又は上記竿掛部及び受け止め部における挿入口が確認し難く、これらの箇所に竿尻を挿入する動作がやり難いという問題があった。
【０００８】
以上に述べるように、従来の釣竿保持具は、素早くかつ容易に釣竿を保持させたいという釣り人の要望に充分応えるものではなかった。
【０００９】
本考案は上述のような課題に鑑みてなされたものである。即ち、本考案は、従来の釣竿保持具に比べて、素早くかつ容易に釣竿を保持させることが可能な釣竿保持具を提供するものである。
【課題を解決するための手段】
【００１０】
本考案の釣竿保持具は、釣竿を保持する保持部と、上記保持部を支持する支持部と、を有し、上記保持部は、前端側及び後端側それぞれに配置された前方受け部及び後方受け部を備え、上記前方受け部及び上記後方受け部は、上向きに開口する開口部を有する凹部を備え、上記開口部を通じて、上記凹部に対し釣竿を出し入れ可能であることを特徴とする。
【考案の効果】
【００１１】
上記構成を備える本考案の釣竿保持具によれば、釣竿を片手で下方に降ろし、凹部を備える前方受け部及び後方受け部に置くだけの容易な動作で素早く釣竿を保持することができる。
【図面の簡単な説明】
【００１２】
【図１】本考案の第一実施形態にかかる釣竿保持具の正面図である。
【図２】本考案の第一実施形態にかかる釣竿保持具の使用状態を示す正面図である。
【図３】本考案の第一実施形態にかかる釣竿保持具の使用状態を示す左側面図である。
【図４】（ａ）は本考案の第二実施形態にかかる釣竿保持具の正面図であり、（ｂ）は第二実施形態における前方受け部を拡大した部分拡大図である。
【考案を実施するための形態】
【００１３】
以下、本考案の実施形態について、図面を用いて説明する。すべての図面において、同様の構成要素には同一の符号を付し、重複する説明は適宜に省略する。
本考案の各種の構成要素は、個々に独立した存在である必要はなく、複数の構成要素が一個の部材として形成されていること、１つの構成要素が複数の部材で形成されていること、ある構成要素が他の構成要素の一部であること、ある構成要素の一部と他の構成要素の一部とが重複していること、等を許容する。図示する本考案の実施態様は、理解容易のために、特定の部材を全体において比較的大きく図示する場合、又は小さく図示する場合などがあるが、いずれも本考案の各構成の寸法比率を何ら限定するものではない。
【００１４】
本考案又は本明細書の記載に関し、特段の断りなく上下、前後の方向をいう場合には、いずれも本考案の使用状態における方向を指し、上下方向は、任意の地点から天方向を上方向とし、上記天方向に対し相対的に下向きの方向を下方といい、前後方向は、使用状態にある本考案に対し保持される釣竿の先端方向を前方とし、竿尻方向を後方という。
【００１５】
＜第一実施形態＞
以下に、本考案の移動式卓上設置台の第一実施形態について図１から図３を用いて説明する。図１は、本考案の第一実施形態にかかる釣竿保持具１００の正面図である。図２には、釣竿保持具１００の使用状態を示す正面図である。図３は、本考案の第一実施形態にかかる釣竿保持具１００の使用状態を示す左側面図である。
【００１６】
はじめに、本実施形態の釣竿保持具１００の概要について説明する。
図１に示すように、釣竿保持具１００は、釣竿２００（図２参照）を保持する保持部１０と、保持部１０を支持する支持部２０と、を有している。保持部１０は、前端側及び後端側それぞれに配置された前方受け部１２及び後方受け部１４を備えている。前方受け部１２及び後方受け部１４は、上向きに開口する開口部３２を有する凹部３４を備える。開口部３２を通じて、凹部３４に対し釣竿２００を出し入れ可能である。図２に示すとおり、釣竿保持具１００は、釣り人３００の身体に装着可能である。ここで、保持部１０の前端側とは、保持部１０の前端又は前端近傍を意味し、後端側とは保持部１０の後端又は後端近傍を意味する。
【００１７】
上記構成を有する釣竿保持具１００によれば、釣りをしている最中に、釣竿２００を上方から下方に降ろす動作だけで、前方受け部１２及び後方受け部１４それぞれに設けられた凹部３４に釣竿２００を設置することができ、これによって素早くかつ容易に釣竿２００を保持部１０に保持させることができる。このように釣竿保持具１００によれば、釣竿２００の保持に際し、竿尻２３０を所定の箇所に挿入するといった動作を要しない。そのため、釣り人３００は、魚を釣り上げたとき等の急を要するタイミングや、夜釣りなどの視界の悪い環境においても、釣竿２００を素早くかつ容易に保持させることができる。
【００１８】
さらに釣竿保持具１００は以下の効果も発揮する。即ち、黒鯛などをターゲットにするヘチ釣等のようなある種の釣法に用いる釣竿には、魚の強い引きに耐えるために竿尻近傍に釣竿の径より幅広の肘あて（図示省略）が備わっている場合がある。かかる釣竿は、上述する従来技術１、２における所定の箇所に竿尻を挿入することが物理的に困難である。そのため、従来技術１、２は、このように竿尻が実質的に太径に構成された釣竿を保持することができなかった。これに対し、釣竿保持具１００であれば、肘あてが設けられた箇所を凹部３４から外して釣竿の他の箇所を凹部３４の内部に設置するだけで釣竿を保持することができるので、種々のタイプの釣竿に対応でき汎用性が高い。
【００１９】
次に、本実施形態の釣竿保持具１００の構成について詳細に説明する。
本実施形態にかかる釣竿保持具１００は、釣り人３００の身体に装着される。装着の方法は特に限定されないが、たとえば本実施形態では、図２に示すとおり、支持部２０に、釣竿保持具１００を身体に装着するために装着部６０が備えられている。ここで身体とは、釣り人３００の体及び釣り人３００が身に着けている衣服やベルト等の装着品を含む。本実施形態では、支持部２０の所定の箇所（例えば上端）に、フック形状の装着部６０が設けられている。当該フック形状の装着部６０が、釣り人３００のスボン６４に設けられたベルト通し６６に掛けられることで、釣竿保持具１００が吊り下げられた状態で装着される。フック形状の装着部６０は、ベルト６２等の他の箇所に掛けられてもよい。
【００２０】
支持部２０は、保持部１０を支持する。釣竿２００を保持した状態の保持部１０を支持できる範囲において支持部２０の形状は任意である。また支持部２０を構成する部材も本考案の趣旨を逸脱しない範囲で適宜選択される。たとえば、布部材で支持部２０を構成することによって、適度な強度及び軽量性が発揮されるため好ましい。また布部材は、革、金属、樹脂などの他の部材に比べ柔軟性があり、釣竿保持具１００を装着した釣り人３００の動作に併せ適度に変形可能である。そのため、釣り人３００が釣竿保持具１００の装着により感じる違和感を低減させ得る。ここで布とは、多数の繊維をシート状又は板状に加工した薄厚の部材であり、織物、編物、フェルト、及び不織布を含む。上記布を構成する繊維としては、たとえば天然繊維、化学繊維、又はこれらの混合等が挙げられる。
【００２１】
本実施形態における支持部２０は、具体的には、所定面積を有する布部材で構成されており、一方の面が釣り人３００の体に沿って配置されている。そのため吊り下げられた釣竿保持部１００の安定感がよく、過度に揺れることが防止されている。
【００２２】
本実施形態における支持部２０は、上下方向に長さを調整可能な長さ調整手段５０を有しており、支持部２０の長さ調整をすることで、これに連動して、支持部２０に支持された保持部１０の高さ位置を変更することができる。これにより、釣り人３００は、保持部１０の高さを自分にあった位置に調整可能であり、釣竿２００をより容易にかつ素早く保持させるための本考案の課題をより充分に解決することができる。
【００２３】
長さ調整手段５０を備える支持部２０としては、たとえば図１に示すとおり、支持部２０の本体を所定幅のベルト状に構成するとともに、長さ調整可能なバックル５２を備える態様が挙げられるがこれに限定されない。
【００２４】
支持部２０に支持された保持部１０は、釣竿２００を保持する機能を有し、より具体的には、前端側及び後端側にそれぞれ前方受け部１２及び後方受け部１４を備える。保持部１０は、前後方向において少なくとも２か所、釣竿２００を受ける受け部（即ち、前方受け部１２及び後方受け部１４）を備える。尚、本実施形態では保持部１０に２つの受け部を備える態様を例に説明するが、本考案は、保持部１０が３つ以上の受け部を備える態様を包含する。
【００２５】
本実施形態における保持部１０は、前方受け部１２と後方受け部１４とを連結する連結部４０を有している。本実施形態では、長尺部材で構成された連結部４０の前端に前方受け部１２が設けられ、同様に連結部４０の後端に後方受け部１４が設けられている。前方受け部１２と後方受け部１４とが連結部４０を介して一体的に構成されている。
ただし、本考案は、連結部４０を備える態様に限定されず、前方受け部１２及び後方受け部１４が、互いに物理的に離間し、所定の箇所において、それぞれ支持部に支持されることで保持部１０を構成する態様を包含する。
【００２６】
本実施形態における支持部２０は、前後方向に貫通する貫通孔３６が設けられている。貫通孔３６は、たとえば、支持部２０の下端に設けられる。本実施形態では、所定幅のベルト状の支持部２０の下端領域を上方に折り返し、折り返された端部を適当な位置に縫いつけることで貫通孔３６が形成されている。本実施形態における貫通孔３６は、前後方向に所定の長さ（たとえばベルト状の支持部２０の幅寸法と同様の長さ）を有している。
本実施形態では、支持部２０に設けられた貫通孔３６に連結部４０が挿通されることで、保持部１０が支持部２０に支持されている。連結部４０は、貫通孔３６に沿って前後方向にスライド可能に、貫通孔３６に挿通されている。前後方向に連結部４０をスライドさせることで、連結部４０の移動に連動して、前方受け部１２及び後方受け部１４の位置を調整することができる。
【００２７】
図１に示すとおり、本実施形態における連結部４０は、前方受け部１２及び後方受け部１４を結ぶ仮想直線１２２に対し相対的に上方に弓なりに湾曲するよう形成されている。かかる連結部４０が貫通孔３６に挿通されることで支持部２０に支持された保持部１０を備える釣竿支持具１００では、連結部４０が直線形状に形成された場合に比べ、前方受け部１２及び後方受け部１４と、支持部２０との距離を大きくすることができる。この結果、前方受け部１２及び後方受け部１４に設けられた凹部３４に釣竿２００を設置する際に、支持部２０と釣竿２００とが接触しに難くなり、より素早くかつ容易に、釣竿２００を保持させることができる。尚、仮想直線１２２は、前方受け部１２及び後方受け部１４それぞれに設けられた凹部３４の底部を結ぶ仮想の直線である。
【００２８】
また上述のとおり弓なりに形成された連結部４０を、貫通孔３６に沿って前後方向にスライド可能に貫通孔３６に挿通させる態様によれば、連結部４０のスライド動作に連動して連結部４０の両端に設けられた前方受け部１２及び後方受け部１４の高さ位置が変更する。かかる高さ位置の変更によれば、保持状態にある釣竿２００の傾斜角度を変更することができる。釣り人３００は、使用する釣竿２００ごとに先端側の荷重と竿尻２３０側の荷重のバランスを考慮し、連結部４０を挿通孔３６に沿ってスライドさせ前方受け部１２及び後方受け部１４の高さ位置を調整し、より安定した姿勢（傾斜角度）で釣竿２００を保持させることができる。
【００２９】
連結部４０並びに前方受け部１２及び後方受け部１４を構成する部材は特に限定されず、これらが別々の部材で構成されてもよいし、同一の部材で形成されてもよい。例えば、連結部４０並びに前方受け部１２及び後方受け部１４を同一部材にて一連一体に形成することで、保持部１０の一体性を図り、部分的な脱落等を防止することができる。より具体的には、ステンレス又はアルミ等の錆び難い金属部材、表面に防錆加工された任意の金属部材、樹脂部材、又は竹などの天然部材等を所定形状に加工して、連結部４０並びに前方受け部１２及び後方受け部１４を一連一体に備える保持部１０を形成することができる。より具体的には、たとえば０．３ｃｍ以上１．５ｃｍ以下程度の径の金属製の長尺部材を用い、所望の形状に湾曲加工することで、連結部４０並びに前方受け部１２及び後方受け部１４を一連一体に備える保持部１０が形成される。金属製の長尺部材としては、ワイヤー、針金、又は金属板から型抜きされた帯状部材などが例示される。ここで金属製とは、長尺部材を構成する主たる材料が金属であることを意味する。当該金属は、種々の金属から適宜選択してよいが、軽量性、強度、及び加工性等を勘案すると、ステンレスまたはアルミが好ましい。また、任意の金属の表面に防錆加工を施した材料を用いて上記長尺部材を構成してもよい。
【００３０】
連結部４０並びに前方受け部１２及び後方受け部１４は、上述する金属製の長尺部材に替えて、竹などの天然素材で構成された長尺部材、樹脂製の長尺部材、又は２以上の部材の組み合わせからなる長尺部材から構成されてもよい。本実施形態では、連結部４０並びに前方受け部１２及び後方受け部１４は、径方向の断面が円形であって径の寸法が略均一な長尺部材から構成されている。
図示省略する変形例として、上記長尺部材として、径方向の断面が扁平の帯状部材を用いてもよい。断面が扁平とは、断面形状が、一方方向に長い形状を意味し、たとえば断面形状が長方形あるいは楕円である場合を含む。上記帯状部材で構成した連結部４０に関し、当該帯状部材は、帯面が上下方向に延在する向きで用いられるとよい。かかる態様では、連結部４０が釣り人３００に対し接触した際の接触圧を和らげ釣り人３００に対し釣竿保持具１００の装着の違和感を抑制しつつ、当該帯状部材の厚み寸法と同程度の径を有する断面円形の長尺部材を用いて連結部４０を構成した場合に比べ、連結部４０の強度を増大させることができる。上述する帯状部材は、たとえば、金属板の面内から、連結部４０と、これに連係する前方受け部１２及び後方受け部１４に相当する所望形状部とを型抜きし、その所望形状部を、連結部４０に対し、適度に屈曲させることで、連結部４０と、前方受け部１２及び後方受け部１４とが一連一体に構成された保持部１０を形成することができる。
【００３１】
また図３に示すとおり、側面視において、連結部４０の少なくとも一方側の端部Ｃよりも、連結部４０の両端部Ｃ、Ｃ間に位置する中間部領域Ｄが、前方受け部１２及び後方受け部１４が設けられた側に向かって湾曲していることが好ましい。換言すると、釣り人３００に側面に装着された釣竿保持具１００において、連結部４０の中間部領域Ｄが、釣り人３００の体（具体的には腰から太もものあたり）の前後方向に沿って緩やかに湾曲していることが好ましい。ここでいう体の前後方向に沿うとは、体のラインに厳密に沿う必要はなく、体の湾曲と同方向に湾曲する程度でよい。これによって、釣り人３００に対する釣竿保持具１００の装着状態を安定させることができる。
【００３２】
尚、本明細書では、図３に示すとおり、前方受け部１２の端部に関し、連結部４０とは連続しない側の端部を第一端部Ｂ１といい、第一端部Ｂ１とは反対側の端部を第二端部Ｂ２と称呼する。第一端部Ｂ１及び第二端部Ｂ２は、凹部３４の凹部中心Ａから同一距離に存在する。後方受け部１４の第一端部Ｂ１及び第二端部Ｂ２も同様である。そして前方受け部１２及び後方受け部１４に対し連続して設けられる連結部４０の両端部Ｃ、Ｃは、前方受け部１２及び後方受け部１４それぞれの第二端部Ｂ２と一致する。尚、凹部３４の凹部中心Ａとは、図示されるように、凹部３４が下方に向けてテーパー状である場合には、テーパーの頂点を指し、凹部３４が直線状の底部（図示省略）を有する場合には、当該底部の延在方向の中心を指す。
【００３３】
凹部３４を、開口部３２（図１参照）から下方に向かってテーパー状に構成することで、凹部３４に対して、釣竿２００の出し入れスムーズにすることができ、また、竿本体２０２の径の異なる種々の釣竿２００に対応し易いため汎用性をより高めることができるため好ましい。ここでいうテーパー状とは、開口部３２から下方に向かって凹部３４が略円錐状形成されていることを意味する。もちろん凹部３４は、Ｕ字状、上向きのコの字状などの他の構成であってもよい。また本実施形態では、前方受け部１２及び後方受け部１４自体の形状がテーパー状又はＵ字状となっているが、図示省略する変形例として、任意の形状の前方受け部１２及び後方受け部１４の一部に、上端開口の凹部３４が設けられる態様を本考案は包含する。前方受け部１２及び後方受け部１４それぞれに設けられた凹部３４同士は、互いで一本の釣竿２００を保持可能に前後方向に連続した向きで形成される。
【００３４】
開口部３２の開口径３８（図１参照）は、釣竿２００の直径２１０（図２参照）以上であることが好ましく、直径２１０より大きいことがより好ましい。これによって、凹部３４に対し釣竿２００を設置する際の抵抗が小さく、素早くかつ容易に釣竿２００を釣竿保持具１００に保持させることができるからである。また、凹部３４に対し釣竿２００を出し入れする際に、釣竿２００を傷つけにくい。
【００３５】
釣竿２００の径は、釣り上げる対象の魚や釣法によって異なる。一般的には、川釣り用の釣竿２００よりも海釣り用の釣竿２００の方が、径が大きい傾向にあるため、種々の釣竿２００に対し１つの釣竿保持具１００で対応させたい場合には、海釣り用の釣竿２００の径を基準に開口径３８の寸法を決定するとよい。例えば一般的な海釣り用の釣竿２００の直径（最大直径）は、８ｍｍ以上５０ｍｍ以下程度の範囲であるため、開口径３８を上記範囲と同じか、又は数ｍｍから数十ｍｍ大きく（例えば１０ｍｍ以上６０ｍｍ以下程度）設計することで、多くの種類の釣竿２００に釣竿保持具１００を対応させることができる。もちろん、各釣法に用いられる釣竿２００ごとに、より適した寸法の開口部３２及び開口径３８を備える釣竿保持具１００を提供する場合には、各釣法に用いられる釣竿２００に併せ、当該寸法を決定すればよい。また、前方受け部１２における凹部３４及び／又はその開口径３８と、後方受け部１４における凹部３４及び／又はその開口径３８の寸法を異ならしめてもよい。この場合には、前方受け部１２における凹部３４及び／又はその開口径３８を、後方受け部１４における凹部３４及び／又はその開口径３８を大きくすることが好ましい。
【００３６】
釣竿保持具１００において、前方受け部１２と後方受け部１４との距離１６（図１参照）は、釣竿２００に設置されたリール２２０の直径２３２（図２参照）よりも大きく設計されることが好ましい。リール２２０の大きさは、釣竿２００の種類によって異なるが、距離１６が１０ｃｍ以上３０ｃｍ以下の範囲であることが好ましい。これによって、前方受け部１２と後方受け部１４との間に種々のリール２２０の基端２２２を配置した状態で釣竿２００を保持することが容易である。リール２２０の基端２２２を前方受け部１２と後方受け部１４との間に配置する釣竿保持具１００によれば、釣竿２００が図２に示すように竿尻２３０側に傾斜した状態ではリール２２０の基端２２２が後方受け部１４の前端に当接し、また図示省略するが、釣竿２００が先端側に傾斜した場合には、リール２２０の基端２２２は、前方受け部１２の後端に当接する。そのため、リール２２０の基端２２２が、後方受け部１４よりも後方に移動することが規制され、また前方受け部１２よりも前方に移動することが規制される。この結果、釣竿２００は、竿尻２３０側にも先端側に脱落することが防止され、保持状態が安定する。ここでいうリール２２０の基端２２２とは、釣竿２００に対しリール２２０が取り付けられている部分を指す。尚、上述するとおり、本実施形態では、支持部２０が貫通孔３６を有し、連結部４０が、貫通孔３６に沿って前後方向にスライド可能である。そのため、図２に示すように、リール２２０の基端２２２を後方受け部１４に当接させた状態で、連結部４０を前後方向にスライドさせて前方受け部１２の高さ位置を適度に調整することができる。これにより、保持された釣竿２００の前荷重（先端側の荷重）と後ろ荷重（竿尻２３０側の荷重）の調整をとり保持状態を安定させることができる。尚、本明細書においていうリール２２０の基端２２２とは、リール２２０と竿本体２０２とを連係する部分であって、竿本体２０２に対するリール２２０の付け根を指す。
【００３７】
上述するとおり、後方受け部１４の前端側にリール２２０を当接させることで、釣竿２００がさらに後方に移動することを防止し、また前方受け部１２とともに釣竿２００の保持状態のバランスを取りやすいという観点からは、釣竿保持具１００は、リール２２０を備える釣竿２００の保持に関し好適である。しかし、釣竿保持具１００は、リールを有しない釣竿の保持も可能である。たとえば、リールを有しない釣竿に対し、竿尻寄りの適当な位置に、後方受け部１４に当接可能な任意の附属品（例えば適当な径のリングなど）を設置し、リールの替りに当該附属品を後方受け部１４の前端側に当接させることで、釣竿保持具１００によって当該釣竿を安定して保持することが容易である。
【００３８】
釣竿保持具１００に対応する釣竿２００の種類を限定する場合には、距離１６の決定において、リール２２０の大きさだけでなく、釣竿２００の長さを勘案するとよい。たとえば、釣竿２００の長さが３ｍ以上４ｍ以下の範囲である場合には、距離１６は、１５ｃｍ以上３０ｃｍ以下の範囲であることが好ましく、また上記長さが２ｍ５０ｃｍ以上３ｍ未満の場合には、距離１６は、１０ｃｍ以上１５ｃｍ以下の範囲であることが好ましい。このように釣竿２００の長さに併せて前方受け部１２と後方受け部１４との間隔を決定することで、釣竿２００の保持状態をより安定させることができる。しかし、上述する釣竿２００長さと距離１６との数値範囲の関係は、本実施形態における好ましい一例であって、本考案を何ら限定するものではない。
尚、前方受け部１２及び／又は後方受け部１４が２以上ある場合には、上述する距離１６は、互いに対向する前方受け部１２及び後方受け部１４間の距離を指す。
【００３９】
＜第二実施形態＞
次に本考案の第二実施形態にかかる釣竿保持具１２０について図４を用いて説明する。図４（ａ）は本考案の第二実施形態にかかる釣竿保持具１２０の正面図であり、図４（ｂ）は釣竿保持具１２０に設けられた前方受け部１２を拡大した部分拡大図である。釣竿保持具１２０は、装着部６０並びに前方受け部１２及び後方保持部１４の態様が、上述する釣竿保持具１００とは異なっており、その他の構成は、釣竿保持具１００と同様であり、適宜釣竿保持具１００に関する説明を参照することができる。そのため以下において釣竿保持具１２０の特有の構成について主として説明する。
【００４０】
本実施形態における装着部６０は、支持部２０に複数のベルト通し孔６８が設けられている。このベルト通し孔６８にベルト６２を通すことによって、釣り人３００に釣竿保持具１００を装着することができる。装着した状態をより安定させるという観点からは、支持部２０の幅寸法２２は、ベルト通し孔６８の孔径６９よりも大きいことが好ましく、幅寸法２２が、孔径６９の２倍以上であることがより好ましい。また図示省略するが、図４に示す装着部６０に替えて、支持部２０の上端を下方に折り曲げて、支持部２０の上下方向の中間部に固定してわ（山折り部分）を形成し、これを装着部として当該わにベルト６２を通して、釣り人３００に釣竿保持具１００を装着してもよい。下方に折り曲げられた支持部２０の上端を上記中間部に固定する方法は特に限定されず、当該上端を中間部に縫い付けてもよいし、予め当該上端及び中間部に対となるホックボタンなどの繰り返し着脱自在である固定手段を設けておき、これによって固定してもよい。
【００４１】
図４（ｂ）に示すとおり釣竿保持具１２０において、本実施形態では、前方受け部１２に設けられた凹部３４は、開口部３２の開口径３８が凹部３４の中間径３９よりも小さい。凹部３４は、下方から上方に向かって、中間部３９までは拡径し、中間部３９から開口部３２に向けて縮径している。開口径３８は、一般的な釣竿２００の径よりもやや小さく、したがって、凹部３４に保持された釣竿２００が開口部３２から脱落することが防止されている。凹部３４を有する前方受け部１２は、釣竿保持部１００における前方受け部１２を構成する部材と同様の部材から構成され、一例としては、所定太さのワイヤーまたは針金により構成される。釣竿２００を凹部３４に設置する際には、開口部３２に釣竿２００の所定の箇所を押し当てて、下方に対し適度な圧力をかけることで開口部３２を押し広げて釣竿２００を凹部３４に侵入させることができる。釣竿２００を押し当てて開口部３２を押し広げやすいように、開口部３２から上方かつ外側に向かって傾斜する釣竿導入部３７が設けられていることが好ましい。以上に説明する本実施形態における前方受け部１２の内容は、適宜、本実施形態の後方受け部１４にも参照される。
【００４２】
以上に、本考案の第一実施形態及び第二実施形態を説明したが、本考案は上述の実施形態に限定されるものではなく、本考案の目的が達成される限りにおける種々の変形、改良等の態様を含む。たとえば、上述する実施形態ではいずれも、連結部が、前方受け部及び後方受け部を結ぶ仮想直線に対し相対的に上方に弓なりに湾曲するよう形成を示したが、本考案はこれに限定されず、変形例として、連結部は、上記仮想直線と略一致するよう配置し、全体としてシンプルな形状に構成してもよい。また別の変形例として、連結部の一部又は全部を上記仮想直線より下方に位置させてもよく、少なくとも連結部の中間より後方を上記仮想直線より下方に位置させることで受け部に対する釣竿の出し入れ時に当該連結部とリールとの接触を回避可能である。
【００４３】
上記実施形態は、以下の技術思想を包含するものである。
（１）身体に装着可能な釣竿保持具であって、
釣竿を保持する保持部と、
前記保持部を支持する支持部と、を有し、
前記保持部は、前端側及び後端側それぞれに配置された前方受け部及び後方受け部を備え、
前記前方受け部及び前記後方受け部は、上向きに開口する開口部を有する凹部を備え、前記開口部を通じて、前記凹部に対し釣竿を出し入れ可能であることを特徴とする釣竿保持具。
（２）前記保持部が、前記前方受け部と前記後方受け部とを連結する連結部を有する上記（１）に記載の釣竿保持具。
（３）前記支持部が、前後方向に貫通する貫通孔を有し、
前記連結部が、前記貫通孔に沿って前後方向にスライド可能に前記貫通孔に挿通されている上記（２）に記載の釣竿保持具。
（４）前記連結部は、前記前方受け部及び前記後方受け部を結ぶ仮想直線に対し相対的に上方に弓なりに湾曲している上記（２）又は（３）のいずれか一項に記載の釣竿保持具。
（５）側面視において、前記連結部の少なくとも一方側の端部よりも、前記連結部の両端部間に位置する中間部領域が、前記前方受け部及び前記後方受け部が設けられた側に向かって湾曲している上記（２）から（４）のいずれか一項に記載の釣竿保持具。
（６）前記開口部の開口径が、釣竿の直径以上である上記（１）から（５）のいずれか一項に記載の釣竿保持具。
（７）前記前方受け部と前記後方受け部との距離は、前記釣竿に設置されたリールの直径よりも大きい上記（１）から（６）のいずれか一項に記載の釣竿保持具。
（８）前記支持部は、上下方向に長さを調整可能な長さ調整手段を有している上記（１）から（７）のいずれか一項に記載の釣竿保持具。
（９）前記支持部は、布部材で構成されている上記（１）から（８）のいずれか一項に記載の釣竿保持具。
（１０）前記支持部は、前記釣竿保持具を身体に装着するために装着部を備える上記（１）から（９）のいずれか一項に記載の釣竿保持具。
（１１）前記凹部は、前記開口部から下方に向かってテーパー状に構成されている上記（１）から（１０）のいずれか一項に記載の釣竿保持具。
【符号の説明】
【００４４】
保持部１０
前方受け部１２
後方受け部１４
距離１６
支持部２０
幅寸法２２
開口部３２
凹部３４
貫通孔３６
釣竿導入部３７
開口径３８
中間径３９
連結部４０
長さ調整手段５０
バックル５２
装着部６０
ベルト６２
幅寸法６３
ズボン６４
ベルト通し６６
ベルト通し孔６８
孔径６９
釣竿保持具１００、１２０
仮想直線１２２
釣竿２００
竿本体２０２
釣竿の直径２１０
リール２２０
基端２２２
竿尻２３０
リールの直径２３２
釣り人３００
凹部中心Ａ
第一端部Ｂ１
第二端部Ｂ２
連結部端部Ｃ
中間部領域Ｄ
【図１】
0003209358.tif 000003
【図２】
0003209358.tif 000004
【図３】
0003209358.tif 000005
【図４】
0003209358.tif 000006